(57)【特許請求の範囲】
【請求項１】
上面に平坦部を有し、下面に円錐部を有するカット済宝石を取り付けるための取付金具であって、上脚部と下脚部とを有する、側方Ｕ字形の金属台を備え、上脚部に対向する下脚部の端部にはカット済宝石の円錐部先端の座を形成するくぼみが設けられ、しかも、側方Ｕ字形の湾曲部内側にカット済宝石の円錐部に当接して紐状体を挿通するための筒体を一体に取付けたことを特徴とするカット済宝石用取付金具。
【請求項２】
上脚部と下脚部とを有する、側方Ｕ字形の金属台を備え、上脚部に対向する下脚部の端部にはカット済宝石の円錐部先端の座を形成するくぼみが設けられ、しかも、側方Ｕ字形の湾曲部内側にカット済宝石の円錐部に当接して紐状体を挿通するための筒体を一体に取付けてなる取付金具に、上面に平坦部を有し、下面に円錐部を有するカット済宝石を、該カット済宝石の円錐部先端を金属台の下脚部のくぼみに嵌合しかつカット済宝石の円錐部の側面を筒体の外面に当接し、カット済宝石の上面の平坦部に取付金具の上脚部を当接することによって固定したことを特徴とする装身具。
【発明の詳細な説明】
【０００１】
【発明の属する技術分野】
本発明は、上面に平坦な上面部を有し、下面に円錐形部または角錐形部を有するようにカットされた宝石（以下、カット済宝石という。）用の取付金具およびこの取付金具内にカット済宝石を嵌合してなる装身具、特に、ネックレス用ペンダントに関する。
【０００２】
【従来の技術】
ファセットカット宝石またはブリリアントカット宝石のような、上面に平坦な上面部を有し、下面に円錐形部または角錐形部を有するようにカットされた宝石は、台の上に立設した複数の爪によって、そのクラウンまたはベゼルを挟むようにしてかつ台の上に押しつけるようにして固定されている。このような取付構造は多くの職人的熟練が必要になる。さらに宝石の大きさ、形状およびカット毎に特別の金属台を保管しておかなければならない。さらにクリップ状止め具を有する金属台は個々の止め具が意図せざる荷重（打撃）、たとえば衣服に引っ掛かることによって反り返り、その結果宝石を逸失する虞れがあるので、比較的厄介である。また、台と複数の爪が、カット済宝石の下面側（パビリオン）を覆ったり、遮ったりして、外部からの入射光線を減少させるものであった。
【０００３】
この問題点を解決するものとして、宝石のキューレットおよびパビリオン先端部を受け入れる穴を設けた受け金具と、その受け金具の一端から立ち上がり宝石のガードルに達しかつ少くともクラウンおよびガードルの一角を包み、かつ２個所の利き部を有する爪とからなるカット済宝石の取り付け構造が提案されている（実開昭６３−１９９６１０号公報参照）。
【０００４】
上記改良された取り付け構造にあっては、カット済宝石を、穴と爪の２個所の利き部との３点でくわえることになる。この構造では、爪数が少なく宝石の下側部分（パビリオン）を露出させることになるので、入射光線が従来より多くなり宝石の輝きを向上させる利点がある。しかしながら爪がクラウンを押圧する構造であるので、クラウンの理想角度である４５度より小さければ保持力はあるが、大きくなると脱落のおそれがある。この場合、利き部の間隔を広げなければならないので、巾の広い構造体とならざるをえず、意匠上の限界があり、また爪はクラウンを構成するカット面（ベゼル・ファセット、アッパーガードル・ファセット）に対応して位置づける必要があるので、組付けに煩雑さがある。
【０００５】
【発明が解決しようとする課題】
そこで、この問題を解決するため特公平５−３７０４１号公報記載の発明が提案された。この公報記載の発明には、カット済宝石の下側部分を露出した構造とすると共にクラウンの角度およびクラウンを構造するカット面に影響を受けない平坦な上面部を宝石の一固定個所とする、カット済宝石用取付金具および装身具についての記載がある。本発明は、この特公平５−３７０４１号公報記載の発明の特長を維持しつつこれを更に改良するものであって、主にネックレス用ペンダントカットとして利用することができ、しかも意匠的に幅広いアレンジが可能な取付金具および装身具を提供しようとするものである。
【０００６】
【課題を解決するための手段】
本発明は、上面に平坦部を有し、下面に円錐部を有するカット済宝石を取り付けるための取付金具であって、上脚部と下脚部とを有する、幅の狭い側方Ｕ字形の金属台を備え、上脚部に対向する下脚部の端部にはカット済宝石の円錐部先端の座を形成するくぼみが設けられ、しかも、側方Ｕ字形の湾曲部内側にカット済宝石の円錐部に当接して紐状体を挿通するための筒体を一体に取付けたことを特徴とするカット済宝石用取付金具である。
【０００７】
更に、本発明は、上脚部と下脚部とを有する、側方Ｕ字形の金属台を備え、上脚部に対向する下脚部の端部にはカット済宝石の円錐部先端の座を形成するくぼみが設けられ、しかも、側方Ｕ字形の湾曲部内側にカット済宝石の円錐部に当接して紐状体を挿通するための筒体を一体に取付けてなる取付金具に、上面に平坦部を有し、下面に円錐部を有するカット済宝石を、該カット済宝石の円錐部先端を金属台の下脚部のくぼみに嵌合しかつ円錐部の側面を筒体の外面に当接し、カット済宝石の上面の平坦部に取付金具の上脚部を当接することによって固定したことを特徴とする装身具である。
【０００８】
本発明は上記の構成としたので、取付金具には容易にカット済宝石を装着することができ、装身具には筒体にネックレスチェーン等の紐状体を挿通して首飾りとすることができ、また、カット済宝石を保持しているのは幅の狭い側方Ｕ字形の金属台だけであるので、その周囲に紐状体を利用して更に装飾を施すことができる。
【０００９】
また、上脚部と下脚部とを有する側方Ｕ字形の金属台の幅は、カット済宝石のテーブルの直径を越えない狭いものとすることが必要である。そして、側方Ｕ字形の湾曲部内側に一体に取りつけた筒体の長さは金属台の幅と一致させることが望ましい。金属台に一体に取りつけた筒体は、金属台に筒体を溶接するか、金属台から削り出しによって一体に形成することができる。
【００１０】
【発明の実施の形態】
本発明の取付金具についての実施例を図１、図２、図６によって説明する。
【００１１】
取付金具６は、図６に示すように、上脚部２と下脚部３とを有する、幅ｗの狭い側方Ｕ字形の金属台１を備え、上脚部２に対向する下脚部３の端部にはカット済宝石（宝石）１２の円錐部先端の座を形成するくぼみ５が設けられ、しかも、側方Ｕ字形の湾曲部内側に宝石の円錐部に当接して紐状体１６を挿通するための筒体４を一体に取付けてなる。
【００１２】
取付金具６は、図１および図２に示すように、始め平坦な状態の金属台１の上面に金属台１の幅ｗに等しいかまたはこれより短い長さを有する筒体４を溶接によって固定し、筒体４を中心としてＵ字形に折り曲げ、上脚部２を下脚部３に対向するようにして構成される。下脚部３は略直線状に維持され、上脚部２が屈曲されている。筒体４は、図３および図４に示すように、一つの金属部材から削り出しにより作成しても良い。
【００１３】
装身具１５とするために、宝石１２は、取付金具６の上脚部２と下脚部３との間に装着される（図５）。この場合宝石はブリリアントカットでカットされており、宝石の上面はテーブルと称する平坦面（平坦部）１３であり、宝石の下面は先細りとなったパビリオンと称するほぼ角錐形または円錐形部分１４（以下、円錐部という。）となっている。パビリオン１４の先端部はキュレットと称する。
【００１４】
宝石１２の装着は、図１および図６に示すように、宝石のキュレットを下脚部１７の内側に穿設した円錐形くぼみ５に嵌合し、宝石の円錐部１４の側部を筒体４の外面に当接し、宝石の平坦面１３の端に上脚部２をハンドプレス等によって屈曲、圧接することにより行われる。
【００１５】
装身具１５はその筒体４に紐状体１６を挿通することにより使用される。図７に示すように、装身具１５は正面から見て宝石１２と金属台６が見えるだけとなり、金属台６は幅も狭いので、必要に応じ装飾体１７を紐状体１６を利用して容易に取り付けることができる。
【００１６】
【発明の効果】
本発明は上記のように構成したので、宝石を容易かつ確実に保持する宝石用取付金具および取付金具に装着した宝石を有する装身具を提供することができ、しかも宝石の大きさ、形状およびカット毎に特別の金属台を保管する必要はなくなる。これにより、このような装身具の製作が容易迅速になるため、作業能率が向上するとともにコストダウンを図ることができる。また宝石は、その上面と下面とが金属台の上脚部および下脚部で挟持され、宝石の円錐部は筒体の外側面により支持されており、しかも上脚部が宝石の平坦面にその上面中心から偏心して当接しているため安定した取付けとなると共に宝石の平坦面の中心部がより多く露出することになり宝石の美感を高めることができる。また、金属台の幅と同じまたは短い長さを有する筒体は宝石の支持となるとともに紐状体の挿通箇所に利用され製作の容易さに寄与する。
【図面の簡単な説明】
【図１】  本発明の金属台の実施例における側面図である。
【図２】  本発明の金属台の実施例における平面図である。
【図３】  本発明の金属台の他の実施例における側面図である。
【図４】  図３の平面図である。
【図５】  本発明の装身具の斜視図である。
【図６】  本発明の装身具の一部切り欠き側面図である。
【図７】  本発明の装身具を利用した首飾りの正面図である。
【符号の説明】
１  金属台
２  上脚部
３  下脚部
４  筒体
５  くぼみ
６  取付金具
１２  カット済宝石（宝石）
１３  宝石の平坦部（平坦面）
１４  宝石の円錐部
【図１】
0003849068.tif 000002
【図２】
0003849068.tif 000003
【図３】
0003849068.tif 000004
【図４】
0003849068.tif 000005
【図５】
0003849068.tif 000006
【図６】
0003849068.tif 000007
【図７】
0003849068.tif 000008